(57)【要約】【課題】無段階上下動の中枠の加熱調整位置に連動して、火力調整用空気とコンロの過熱防止用空気量とが設定できる空気分流式バーベキューコンロを提供する。【解決手段】コンロ本体１の外周面に複数の縦長の空気吸入口２を等間隔に穿設し、該コンロ本体１の内周壁と適宜な間隙幅を設けて収納される中枠３と、該中枠３の外周下端に、前記間隙幅よりわずかに狭い幅の空気分流鍔部６を全周に設け、該中枠３の内周下端に復数本の桟４を固定してその上に多孔質の火床板５を載せる。前記コンロ本体１の底部中央に設置した略パンタグラフ構造の上下伸縮機能を有する昇降機８の上部と前記中枠の桟４とを接合し、該昇降機８の上面を保護カバー１１で覆うとともに、該昇降機８の主軸９を前記コンロ本体１外に突設してその先端にハンドル１０を設ける。【選択図】図４
2017164135.tif 000002
【特許請求の範囲】
【請求項１】
コンロ本体と、上下動が可能な中枠とからなり、コンロ本体外周面に複数の縦長の空気吸入口を等間隔に設け、該コンロ本体にわずかな隙間を以て収納された中枠を、該コンロ本体左右両側面のハンドル操作による上下動に連動して、前記空気吸入口を中枠周面で開閉して燃焼用空気量を変化させる自動空気調整付バーベキューコンロにおいて、コンロ本体の外周面に複数の縦長の空気吸入口を等間隔に穿設し、該コンロ本体の内周壁と適宜な間隙幅を設けて収納される中枠と、該中枠の外周下端に、前記間隙幅よりわずかに狭い幅の空気分流鍔部を全周に設け、該中枠の内周下端に復数本の桟を固定し、該桟の上に多孔質の火床板を載せ、前記コンロ本体の底部中央に設置した略パンタグラフ構造の上下伸縮機能を有する昇降機の上部と、前記中枠の桟とを接合し、前記昇降機の上面を保護カバーで覆うとともに、該昇降機の主軸を前記コンロ本体外に突設してその先端にハンドルを設けたことを特徴とする、空気分流式バーベキューコンロ。
【発明の詳細な説明】
【技術分野】
【０００１】
本発明は、加熱調整と火力調整及び過熱防止用の空気量が同時に調整できる、空気分流式バーベキューコンロに関する。
【背景技術】
【０００２】
従来の炭焼きバーベキューコンロには火床（ロストル）自体が無いものや、あっても固定されたものが多く、炭を熾す際には炭を平に置いた状態で着火しているが、個々の炭が熾きるまでには時間がかかるために、バーナーで強制的に火力を加えたり、うちわで扇いだりしていた。
【０００３】
しかしながら、従来のバーベキューコンロでは一度炭が熾きてしまうと、今度は焦がさないで食べることを急かされ、最後には炭の火力に充分な余力があるのに、強制的に終了となるので結果的に炭が無駄になっていた。
つまり、従来型コンロでは炭の燃焼状態によってバーベキューの動向が左右されているが、これらは炭の燃焼位置が固定されていることと、燃焼時の火力調整ができないことに起因している。
【０００４】
現在、市販されている炭焼きバーベキューコンロの機能を大別すると、１，コンロ本体の小窓を開閉して燃焼用空気量を調節する火力調整型。２，火力に応じて焼網を段階的に持ち上げる加熱調整型。３，固定された２重構造で通気層を設けた過熱防止型の３タイプに分類される。そのうちの加熱調整と火力調整の２つを解決した省エネタイプの発明としては、同一出願人による特許第４０３５８３０号がある。「特許文献１」。
【先行技術文献】
【特許文献】
【０００５】
【特許文献１】特許第４０３５８３０号公報
【発明の概要】
【発明が解決しようとする課題】
【０００６】
特許文献１のバーベキューコンロには、加熱調整と火力調整機能は備えているが過熱防止機能はなく、構造や使用時においても、以下のような問題点や改善すべき点があった。
特許文献１は、中枠が平板面で構成されており、コンロ本体と中枠との隙間がわずかしかないために、中枠内の炭の燃焼熱がコンロ本体に直に伝わって過熱し、利用者が誤ってコンロ本体に触れた場合に火傷事故につながるという危険性があった。
また、炭が燃焼している状態での両側面のハンドル操作では、顔や上半身が中枠に覆いかぶさるように接近するので、小柄な女性や子供が行うには危険の伴うものであった。
【０００７】
また、操作性では中枠の固定や上下動操作において、左右の固定用螺子が順ネジのために、同時に２回転ほど逆方向に緩めなければならず、また上下動の際には中枠の固定解除に伴い中枠がコンロ面より遊離するために、左右の固定用螺子を軸にして中枠本体が前後にぐらつき、摺動性が阻害されるという問題もあった。
【０００８】
本発明は、同一出願人による特許文献１の、中枠の形状や構造を変えて過熱防止機能を付加することと、中枠の昇降方法やその固定方法、及び作業性を改善して火傷事故防止等、上記の課題を解決することにある。
【課題を解決するための手段】
【０００９】
コンロ本体の外周面に複数の縦長の空気吸入口を等間隔に穿設し、該コンロ本体の内周壁と適宜な間隙幅を設けて収納される中枠と、該中枠の外周下端に、前記間隙幅よりわずかに狭い幅の空気分流鍔部を全周に設け、該中枠の内周下端に復数本の桟を固定し、該桟の上に多孔質の火床板を載せる。
前記コンロ本体の底部中央に設置した略パンタグラフ構造の上下伸縮機能を有する昇降機の上部と前記中枠の桟とを接合し、該昇降機の上面を保護カバーで覆うとともに、該昇降機の主軸を前記コンロ本体外に突設してその先端にハンドルを設ける。
【発明の効果】
【００１０】
１． 従来コンロの３タイプの機能を１台で具備しており、他商品との差別化が図れる。
２． 加熱調整の固定位置に応じて、火力調整と過熱防止用の空気量とを設定する。
３． 無段階調節の中枠のスムーズな上下動、及び固定を１個のハンドル操作でできる。
４． 過熱防止用通気路構造により、コンロの異常過熱による火傷事故を防止する。
５． 人数に制限されることなく、常に最適な焼き加減で快適なバーベキューが楽しめる。
６． 通気路構造の上昇気流で煙の拡散が防げ、ダクトによる集中排煙が容易になる。
７． 焼肉店等の業務用としての需要も見込め、炭の節約は毎日の利益に直結する。
８． 炭の節約効果は森林保護の環境問題や、商業的にも公益性が高い。
【図面の簡単な説明】
【００１１】
【図１】本発明の正面から見た斜視図
【図２】本発明に炭熾し器を用いた設置断面図
【図３】本発明の空気分流説明断面図
【図４】本発明の方形タイプの斜視図
【発明を実施するための形態】
【００１２】
下部に脚受け部１４を設けたコンロ本体１と、無段階上下動機構を備えた中枠３とから構成されており、前記コンロ本体１の外周面に複数の縦長の空気吸入口２を等間隔に穿設し、該コンロ本体１の内周壁と適宜な間隙幅（３センチ程度）を設けて収納される中枠３と、該中枠３の外周下端に、前記間隙幅よりわずかに狭い幅の空気分流鍔部６を全周に設けて、過熱防止用空気の通気路７を確保する。
前記中枠３の内周下端に復数本の桟４を固定して、該桟４の上に多孔質の火床板５を載せ、前記コンロ本体１の底部中央に設置した略パンタグラフ構造の上下伸縮機能を有する昇降機８の上部と前記中枠３の桟４とを接合し、前記昇降機８の上面を保護カバー１１で覆うとともに、該昇降機８の主軸９を前記コンロ本体１外に突設してその先端にハンドル１０を設ける。
【実施例】
【００１３】
実施例を基に、各図を参照にして以下に使用法及び作用効果を説明する。
図１は、本発明の、正面から見た斜視図である。
図２は、本発明に、炭熾し器を用いた設置断面図である。
中枠３を、昇降機８のハンドル１０操作でコンロ本体１の上端まで持ち上げ、コンロ本体１の外周面の空気吸入口２を全開にした状態で、火床板５の中央に２段重ねの煙突形状の炭熾し器１２を置き、中に焚きつけ１７と炭１８を順に積み上げてから、炭熾し器１２下部の切欠き（図示せず）から着火する。
【００１４】
コンロ本体１の全開になった空気吸入口２からの空気全量が燃焼用空気として、多孔質の火床板５の小孔１５（図示せず）から上昇し、炭熾し器１２の煙突効果による上昇気流により、炭熾し器１２内に積み上げられた炭１８全体が一気に炎に包まれて短時間で熾きる。
【００１５】
図３は、本発明の空気分流説明断面図である。（内部の昇降機は図示せず）
炭１８が熾きたら、底板のない炭熾し器１２の把手１３を持ちあげて外し、火床板５上に残った炭１８を均してから、コンロ本体１上にセットした焼網１６に具材１９を載せて焼くが、この状態ではコンロ本体１の空気吸入口２が全開で火力は最大になるので、強すぎるときには具材１９が焦げないように昇降機８のハンドル１０操作により、最適な位置まで中枠３を下げて調節し固定する。
【００１６】
その固定位置に連動して中枠３の空気分流鍔部６を境にして、空気分流鍔部６の下から入った空気は燃焼用空気として多孔質の火床板５の小孔１５（図示せず）から上昇して炭１８を適度に熾し、空気分流鍔部６の上から入った空気は、中枠３の周面とコンロ内面との約３センチ幅の通気路７を上昇する過熱防止用の空気として供給される。
つまり、中枠３がどの位置にあっても空気分流鍔部６を境にして、燃焼用空気と過熱防止用の空気量とが分流されることになるのである。
【００１７】
バーベキューを行う際に火力が強過ぎたり少人数の時には、中枠３を下げて焼網１６から距離を離すと、その位置で空気分流鍔部６を境にして空気吸入口２は上下に分断されるので、燃焼用空気量は減少して火力は弱まり、空気分流鍔部６より上から吸引された空気は、中枠３の側板で塞がれた通気路７を過熱防止用空気となって上昇するので、コンロ本体１の側面が異常に過熱するのを防ぐ。
逆に大人数の時には、中枠３を最上位にすると空気吸入口２は全開となり、全量が燃焼用空気となって炭１８を勢いよく熾すのですぐに具材１９が焼け、大人数でも待たせることなく食べることができる。最後には炭１８と焼網１６が近接しているので、炭１８が完全に燃え尽きて灰になるまでの熱回収が可能なので炭１８が２〜３割節約になる。
【００１８】
図４は、本発明の方形タイプの斜視図である。
本発明によるバーベキューコンロは、円形、方形、矩形等、形状に係わりなく、基本的構造や炭熾し器１２の使用法及び作用や効果は同一である。
【産業上の利用可能性】
【００１９】
従来の炭焼きバーベキューコンロは機能的にはほとんど差はなく、また現在は使い捨て同然の廉価品が主流であることから、これに一石を投じる多機能型コンロである。
最適な焼き加減の加熱調整位置と連動して、火力調整用とコンロの過熱防止用の空気量の設定が行えるバーベキューコンロであり、簡便な炭熾し方や火傷事故防止及び、省エネ効果による炭の節約は環境問題にも貢献でき、業務用においては利益に直結することから、経済効果も見込める。
【符号の説明】
【００２０】
１    コンロ本体
２    空気吸入口
３    中枠
４    桟
５    火床板
６    空気分流鍔部
７    通気路
８    昇降機
９    主軸
１０  ハンドル
１１  保護カバー
１２  炭熾し器
１３  把手
１４  脚受け部
１５  小孔
１６  焼網
１７  焚きつけ
１８  炭
１９  具材
【図１】
2017164135.tif 000003
【図２】
2017164135.tif 000004
【図３】
2017164135.tif 000005
【図４】
2017164135.tif 000006
【手続補正書】
【提出日】平成28年9月5日(2016.9.5)
【手続補正１】
【補正対象書類名】図面
【補正対象項目名】全図
【補正方法】変更
【補正の内容】
【図１】
2017164135.tif 000007
【図２】
2017164135.tif 000008
【図３】
2017164135.tif 000009
【図４】
2017164135.tif 000010